【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
装置間通信を実行する端末装置がリソース選択できるリソース領域を割当て、前記リソース領域のセンシングの範囲に関する情報を前記端末装置に提供する制御部を備える、通信装置。
【請求項２】
前記制御部は、前記端末装置が前記リソースを用いて通信するトラフィックの種類に応じて前記センシングの範囲を設定する、請求項１に記載の通信装置。
【請求項３】
前記制御部は、前記端末装置が前記リソースを用いて通信するトラフィックの優先度に応じて前記センシングの範囲を設定する、請求項１に記載の通信装置。
【請求項４】
前記制御部は、前記端末装置の移動速度に応じて前記センシングの範囲を設定する、請求項１〜３のいずれかに記載の通信装置。
【請求項５】
前記制御部は、前記端末装置の位置情報に応じて前記センシングの範囲を設定する、請求項１〜４のいずれかに記載の通信装置。
【請求項６】
前記制御部は、前記端末装置の種類に応じて前記センシングの範囲を設定する、請求項１〜５のいずれかに記載の通信装置。
【請求項７】
前記制御部は、Sidelinkのリソース使用状況に応じて前記センシングの範囲を設定する、請求項１〜６のいずれかに記載の通信装置。
【請求項８】
前記制御部は、前記端末装置ごとに前記センシングの範囲を設定する、請求項１〜７のいずれかに記載の通信装置。
【請求項９】
前記制御部は、全ての前記端末装置へ共通に前記センシングの範囲を設定する、請求項１〜７のいずれかに記載の通信装置。
【請求項１０】
前記制御部は、前記リソース領域の所定の範囲ごとにグルーピングを行う、請求項１〜９のいずれかに記載の通信装置。
【請求項１１】
前記制御部は、グルーピングされた範囲において前記端末装置に対してリソースホッピングを実施させるための情報を提供する、請求項１０に記載の通信装置。
【請求項１２】
前記制御部は、前記端末装置が前記リソースを選択してから情報を送信するまでの間隔に関する情報を提供する、請求項１〜１０のいずれかに記載の通信装置。
【請求項１３】
前記制御部は、前記端末装置が前記リソースを用いて通信するトラフィックの種類に応じて前記間隔を設定する、請求項１２に記載の通信装置。
【請求項１４】
前記制御部は、前記端末装置が前記リソースを用いて通信するトラフィックの優先度に応じて前記間隔を設定する、請求項１２に記載の通信装置。
【請求項１５】
前記制御部は、前記端末装置の移動速度に応じて前記間隔を設定する、請求項１２に記載の通信装置。
【請求項１６】
前記制御部は、前記端末装置の位置情報に応じて前記間隔を設定する、請求項１２〜１５のいずれかに記載の通信装置。
【請求項１７】
前記制御部は、前記端末装置の種類に応じて前記間隔を設定する、請求項１２〜１６のいずれかに記載の通信装置。
【請求項１８】
前記制御部は、前記端末装置ごとに前記間隔を設定する、請求項１２〜１７のいずれかに記載の通信装置。
【請求項１９】
前記制御部は、全ての前記端末装置へ共通に前記間隔を設定する、請求項１２〜１７のいずれかに記載の通信装置。
【請求項２０】
基地局から割り当てられたリソース領域の中からリソースを選択し、選択したリソースを用いて装置間通信を実行する際に、前記リソース領域のセンシングの範囲を状況に応じて決定する制御部を備える、通信装置。
【請求項２１】
前記制御部は、前記基地局から提供された情報に基づいて前記センシングの範囲を決定する、請求項２０に記載の通信装置。
【請求項２２】
前記制御部は、前記センシングの結果に基づいてリソースを選択してから情報を送信するまでの間隔を状況に応じて決定する、請求項２０または２１に記載の通信装置。
【請求項２３】
前記制御部は、前記基地局から提供された情報に基づいて前記間隔を決定する、請求項２２に記載の通信装置。
【請求項２４】
前記制御部は、前記情報として情報の優先度の情報を送信する、請求項２２または２３に記載の通信装置。
【請求項２５】
前記制御部は、前記情報として情報の送信元の情報を送信する、請求項２２〜２４のいずれかに記載の通信装置。
【請求項２６】
前記制御部は、前記情報として情報の送信電力に関する情報を送信する、請求項２２〜２５のいずれかに記載の通信装置。
【請求項２７】
前記制御部は、前記間隔の情報を用いて前記リソースの予約に関する情報を他の装置に通知する、請求項２２〜２６のいずれかに記載の通信装置。
【請求項２８】
前記制御部は、前記センシングの結果リソースを確保出来なかった場合に前記センシングの範囲を延長する、請求項２０〜２７のいずれかに記載の通信装置。
【請求項２９】
前記制御部は、前記センシングの範囲を所定量延長してもリソースを確保出来なかった場合に、前記リソース領域のセンシングの範囲を状況に応じて再決定する、請求項２８に記載の通信装置。
【請求項３０】
前記制御部は、前記センシングの範囲の再決定を所定回数行うと、前記基地局に対して報告する、請求項２８に記載の通信装置。
【請求項３１】
前記制御部は、エナジーセンシングによりリソースを選択する際の閾値を、前記装置間通信の際の送信電力情報に基づいて変化させる、請求項２０〜３０のいずれかに記載の通信装置。
【請求項３２】
装置間通信を実行する端末装置がリソース選択できるリソース領域を割当て、前記リソース領域のセンシングの範囲に関する情報を前記端末装置に提供することを含む、通信方法。
【請求項３３】
基地局から割り当てられたリソース領域の中からリソースを選択し、選択したリソースを用いて装置間通信を実行する際に、前記リソース領域のセンシングの範囲を状況に応じて決定することを含む、通信方法。
【請求項３４】
装置間通信を実行する端末装置がリソース選択できるリソース領域を割当て、前記リソース領域のセンシングの範囲に関する情報を前記端末装置に提供することをコンピュータに実行させる、コンピュータプログラム。
【請求項３５】
基地局から割り当てられたリソース領域の中からリソースを選択し、選択したリソースを用いて装置間通信を実行する際に、前記リソース領域のセンシングの範囲を状況に応じて決定することをコンピュータに実行させる、コンピュータプログラム。
【請求項３６】
基地局から割り当てられたリソース領域の中からリソースを選択し、選択したリソースを用いて装置間通信を実行する際に、前記基地局から通知されたパケットリザベーション周期、もしくはセンシングモードに関するパラメータのいずれか１つ以上を用いて、センシングに関するパラメータを設定する制御部を備える、通信装置。
【請求項３７】
前記パケットリザベーションに関するパラメータはパラメータiの集合として定義される、請求項３６に記載の通信装置。
【請求項３８】
前記パラメータiはパケットリザベーション周期（P*i）の構成要素であり、Pは基底となる固定値であり、iはネットワークから設定可能なパラメータである、請求項３７に記載の通信装置。
【請求項３９】
前記センシングモードに関するパラメータはパラメータαとして定義される、請求項３７または３８に記載の通信装置。
【請求項４０】
前記パラメータαを用いて、同一のiにおいてセンシングに関するパラメータの複数の設定方法のどちらかを使用することを決定する、請求項３９に記載の通信装置。
【請求項４１】
前記センシングに関するパラメータは、センシングウィンドウの開始位置、センシングウィンドウサイズ、センシングの周波数帯域、センシングのリソースプール、センシングウィンドウの番号を含む、請求項３６に記載の通信装置。
【請求項４２】
前記制御部は、前記基地局から通知されたパケットリザベーション周期、ネットワークのＣＢＲ（Ｃｈａｎｎｅｌ  Ｂｕｓｙ  Ｒａｔｉｏ）、パケットリセレクションに関するパラメータまたはセンシングすべき対象領域を示すパラメータのいずれか１つ以上を用いてセンシングに関するパラメータを設定する、請求項３６に記載の通信装置。
【請求項４３】
前記制御部は、所定のセンシング回数以上にセンシングを行った後、既定の送信リソースの候補の中にリソースの使用率を計算し、前記使用率が所定値以上になると、新しいセンシング候補を設定してセンシングを行う、請求項３６に記載の通信装置。
【請求項４４】
前記制御部は、所定のセンシング回数以上にセンシングを行った後、既定の送信リソースの候補の中にリソースの使用率を計算し、前記使用率が所定値以上になるとセンシングを中止する、請求項３６に記載の通信装置。
【請求項４５】
センシング回数の閾値β及び使用率の閾値θはネットワーク側から設定される、請求項４３に記載の通信装置。
【請求項４６】
前記制御部は、新しいセンシング候補を設定し、センシングを完了して、全てのセンシング結果に基づき送信リソースを選択する、請求項４３に記載の通信装置。
【請求項４７】
前記制御部は、ランダムに前記新しいセンシング候補を設定する、請求項４６に記載の通信装置。
【請求項４８】
前記制御部は、ネットワーク側から前記新しいセンシング候補の設定を受ける、請求項４６に記載の通信装置。
【請求項４９】
前記制御部は、センシングを中止して送信リソースを選択する際に、センシング結果に基づく既定の送信リソース候補の使用できるリソースと、送信リソース候補以外の全部のリソースを選択候補として、選択する、請求項４３に記載の通信装置。
【請求項５０】
基地局から割り当てられたリソース領域の中からリソースを選択し、選択したリソースを用いて装置間通信を実行する際に、前記基地局から通知されたパケットリザベーション周期、もしくはセンシングモードに関するパラメータのいずれか１つ以上を用いてセンシングに関するパラメータを設定することを含む、通信制御方法。